(57)【要約】【課題】  着脱自在のサムターンの紛失を防止できるサムターン錠を提供する。【解決手段】  本発明のサムターン錠１は、ケーシング１０にサムターン２０を着脱自在に保持する保持部１３が設けられており、サムターン２０を保持部１３に取り付けることができる。従って、取り外したサムターン２０の保管が確実になり、サムターン２０を紛失してしまうことを未然に防止できる。【選択図】      図３
2005282036.tif 000002
【特許請求の範囲】
【請求項１】
ケーシングに設けた回動ボス部に施解錠するためのサムターンが着脱可能に取り付けられているサムターン錠において、
前記サムターンを着脱自在に保持する保持部が前記ケーシングに設けられていることを特徴とするサムターン錠。
【請求項２】
前記サムターンは前記回動ボス部に取り付けられるための突起部を備え、
前記保持部は、前記ケーシングの内部に取り付けられるとともに、前記突起部が挿嵌可能でかつ前記ケーシングの外部に露出する保持孔が設けられた弾性体よりなる保持部材を有する請求項１記載のサムターン錠。
【請求項３】
前記保持孔は有底孔である請求項２記載のサムターン錠。
【請求項４】
前記保持部材は前記ケーシングの内面に当接する当接面と、このケーシングの裏面開口部を施蓋する蓋体の内面に当接する端面とを有している請求項２もしくは３いずれかに記載のサムターン錠。
【発明の詳細な説明】
【技術分野】
【０００１】
本発明は、扉等の開閉体に設けられ施解錠を行うサムターン錠に関する。
【背景技術】
【０００２】
サムターン錠は、扉などの開閉体に設けられ、屋内側に設けられた摘みであるサムターンを回動することによりデッドボルト等のロック部材が開閉体端面から出退するように構成されている。そして、この開閉体が開閉自在に取り付けられる開口部枠体の内側端面に設けられた受座等にこのロック部材が挿嵌されることで開閉体が施錠される。一方、開閉体の屋外側はシリンダー錠などの施解錠機構によって施解錠できるようになっている。
【０００３】
近年、このようなサムターン錠はマンションや住宅の玄関扉等に多用されているが、開閉体屋外側から例えばＬ字形の金属製の棒を挿入して、強引に屋内側のサムターンを回動し解錠するような不正操作が多発している。このような不正操作を防止するために、屋外側からサムターンを回動できないようにサムターンを覆い被すカバーを取り付けたり（例えば、特許文献１参照）、サムターン自体を着脱可能にして施錠時はサムターンを取り外すことで外部からは回動できないようにする等の対策が採られている。
【０００４】
【特許文献１】特開２００３−５６２１８号公報（第３頁）
【発明の開示】
【発明が解決しようとする課題】
【０００５】
しかしながら、上記のようにサムターンが着脱可能にされたサムターン錠では、施錠時に取り外された状態のサムターンを保管あるいは所持しておく必要があり、その管理が不十分な場合には紛失してしまい、屋内側から開閉体を施解錠できなくなる等の不都合が生じることがあった。
本発明はこのような事情に鑑みなされたものであり、施錠時に取り外されたサムターンの紛失を未然に防ぐことのできるサムターン錠の提供を目的とする。
【課題を解決するための手段】
【０００６】
本発明は、ケーシングに設けた回動ボス部に施解錠するためのサムターンが着脱可能に取り付けられているサムターン錠において、前記サムターンを着脱自在に保持する保持部が前記ケーシングに設けられていることを特徴とするとしている。
上記のように構成されたサムターン錠は、サムターンが取り付けられる回動ボス部の至近の位置にサムターンを着脱自在に保持する保持部が設けられている。従って、当該サムターン錠を施錠し、防犯のために前記回動ボス部からサムターンを取り外した時にも、取り外したサムターンは、他の場所に置かれることなく取り外したその手でそのまま前記保持部に取り付け、保管することができる。
【０００７】
また、上記のサムターン錠において、前記サムターンは前記回動ボス部に取り付けられるための突起部を備え、前記保持部は、前記ケーシングの内部に取り付けられるとともに、前記突起部が挿嵌可能でかつ前記ケーシングの外部に露出する保持孔が設けられた弾性体よりなる保持部材を有することが好ましい。
このようにすることで、前記保持部は、前記サムターンの突起部をケーシングの外部に露出された保持孔に挿嵌することで容易にサムターンを保持することができる。また前記保持孔が形成される保持部材は弾性体よりなるので、突起部が容易に抜き挿し可能な程度に適度な保持力をもって保持することができる。
【０００８】
また、前記保持孔は有底孔であることが好ましい。これにより、保持孔はケーシングの内外を遮断することができる。よって、保持孔からケーシング内部に水分が侵入することを防ぎ、ケーシング内部の発錆を防止できる。
【０００９】
また、前記保持部材は前記ケーシングの内面に当接する当接面と、このケーシングの裏面開口部をを施蓋する蓋体の内面に当接する端面とを有していることが好ましい。この場合、保持部材はケーシング内面と蓋体によって挟持され、確実に固定できる。従って、保持部に前記サムターンを着脱する際に前記突起部を前記取付孔に抜き挿しすることによって保持部材がケーシング内外方向に押されたり引張られても、当該保持部材がケーシングから脱落することがない。また、この保持部材はケーシングと蓋体によってケーシング内部に確実に固定できるので、ネジや接着剤を使用する必要がなく、容易に取り付けることができる。
【発明の効果】
【００１０】
以上のように、本発明に係るサムターン錠によれば、取り外したサムターンを保管しておくための保持部がこのサムターン錠のケーシングに設けられているので、取り外したサムターンの保管が確実になり、サムターンを紛失してしまうことを未然に防止できる。
【発明を実施するための最良の形態】
【００１１】
次に、本発明の好ましい実施形態について添付図面を参照しながら説明する。なお、以下の説明では、本発明に係るサムターン錠を例えば建物の出入口の扉に適用した場合を例示して説明する。
図１および図２は本発明の実施形態に係るサムターン錠の取付状態を示す側面図および屋内側の正面図である。図中、本実施形態であるサムターン錠１は、建物の出入口としての開口部に開閉自在に取り付けられている扉４の端部に取り付けられており、扉４の屋内側に取り付けられている施錠部２と扉４の屋外側に取り付けられている外部操作部３とから構成されている。
【００１２】
外部操作部３は、内部にロック機構を収納している縦長箱状のケーシング５と、このケーシング５の正面に回動自在に取り付けられている外部サムターン６と、前記ロック機構を動作させるための複数の押しボタン７とを備えている。この外部操作部３は、例えば屋外から施錠する場合、外部サムターン６と押しボタン７とを所定の操作をすることにより後述する施錠部２の施解錠機構と前記ロック機構とを作動させ、サムターン錠１を施錠状態とすることができる。そして、再度屋外から解錠する場合は、あらかじめ定められた幾つかの押しボタン７を押さなければ解錠できないように構成されており、その定められた幾つかの押しボタン７を知っている者以外が勝手に解錠できないようにされている。
【００１３】
施錠部２は、内部に施解錠機構を収納している縦長箱状のケーシング１０と、このケーシング１０の正面部に回動自在かつ脱着自在に取り付けられているサムターン２０と、このサムターン２０を回動操作することによりケーシング１０の一方側側端面に設けられた開口部１５から扉４端面から突出するように出退するデッドボルト８とを備えている。
図３は、本実施形態のサムターン錠の施錠部の内部構造を示す縦断面図である。ケーシング１０は、例えば亜鉛ダイカスト合金を用いて成形されており、このケーシング１０の裏面側開口部にはこの開口部を施蓋する裏蓋１４が取り付けられている。そして、このケーシング１０は、２つのネジ１１によってゴム等からなる台座１６を介して扉４に固定されている。
【００１４】
図１および図２も参照して、デッドボルト８は、例えばステンレス鋼製の板材を複数枚重ねて固定することで直方形状とされており、建物の開口部の枠４ａの端部に取り付けられている受座４ｂにデッドボルト８が突出し挿嵌されることで、扉４が閉じた状態で施錠されるように構成されている。すなわち、サムターン錠１は屋内側からサムターン２０を回動操作することにより扉４を自由に施解錠できるようになっている。
【００１５】
サムターン２０は、例えば亜鉛ダイカスト合金からなり、円板状に形成された基部２１から直方形状の摘み部２２が施錠部２の正面方向に突出した形状とされている。サムターン２０の基部２１には２本の保持ピン３０が取り付けられている。この保持ピン３０は、この基部２１の施錠部２側の取付面２１ａに設けられたピン孔２１ｂに圧入されており、取付面２１ａから突出した突起部３１を成している。この突起部３１の端部には周溝３２が形成されている。また、この２つの突起部３１が取付面２１ａに垂直かつ基部２１の外周円の中心から等間隔に直径線上に配置されるようにピン孔２１ｂは形成されている。
【００１６】
このようなサムターン２０は、取付面２１ａを施錠部２に取り付けられている座部４０に密接するように取り付けられている。座部４０は、サムターン２０の基部２１の直径と略同じ径の円板形状であり、ケーシング１０の正面部に設けられた座部取付孔１２にサムターン２０と密接する座面４１が露出するように取り付けられている。また、この座部４０は、施錠部２に回動自在に取り付けられている角棒６０の端部にその回動中心と同心一体に固定されている。
【００１７】
座面４１には、サムターン２０の突起部３１が抜き挿し自在に挿し込まれている取付孔４２が２ヶ所設けられている。座部４０のケーシング１０内部側面には、コの字状に形成されたバネ部材４３が取り付けられている。そしてこのバネ部材４３はその一部が取付孔４２内周側面から露出するように取り付けられており、突起部３１の周溝３２に係合している。ここで、周溝３２はその周面から底面までがなだらかな傾斜で形成されており、突起部３１を取付孔４２から抜き挿しした場合、周溝３２に対するバネ部材４３の係合は容易に外すことができ、突起部３１は取付孔４２に対して適度な保持力をもって容易に抜き挿しすることができる。これによってサムターン２０は、突起部３１を取付孔４２に挿し込むことで、座部４０から容易に取り外すことができる程度の適度な保持力をもって施錠部２に取り付けられている。
【００１８】
サムターン２０は、２箇所の突起部３１により座部４０に取り付けられているので、サムターン２０を回動操作すると座部４０を一体に回動することができる。すなわち、サムターン２０の回動操作によって座部４０が固定されている角棒６０を回動することができる。この角棒６０は、回動されることによって、施錠部２内に収納されている施解錠機構を介してデッドボルト８を出退可能に構成されている。従って、上述したようにサムターン錠１はサムターン２０の回動操作によって、デッドボルト８を出退させ、扉４を自由に施解錠することができる。
【００１９】
このように構成されたサムターン錠１は、施錠した後にサムターン２０を取り外しておけば、扉４の外部からサムターン２０を操作して解錠しようとしても解錠することができない。従って、不正操作による解錠を防止することができる。
【００２０】
また、図２，図３のようにケーシング１０の正面上部には、サムターン２０を着脱自在に保持するための保持部１３が設けられている。この保持部１３は、ケーシング１０の内外を連通する２つの孔部１３ａとケーシング１０内部に固定されている保持ブッシュ５０とにより構成されている。この保持ブッシュ５０は、ゴム等の弾性体によって成形されており、図４に示すように２つの筒状部５１を一定間隔をおいて略平行に連結した形状に成形されている。この２つの筒状部５１の外周円中心間の距離であるピッチ間隔は、前記サムターン２０の２つの突起部３１のピッチ間隔と略同じ間隔に設定されている。
【００２１】
そしてこの保持ブッシュ５０の一方側の端部付近には、２つの筒状部５１の径外方向に突出しかつその突出を長円形状に繋ぐように形成された縁部５２が形成されている。さらに、保持ブッシュ５０の一方側の端部には、この縁部５２から筒状部５１の端部が突出している凸部５３が２箇所形成されている。筒状部５１の端部からなるこの凸部５３には、その内周側にその保持孔５４を有している。この保持孔５４の内径は突起部３１の外径と略同じ寸法に設定されている。また、上述したように保持孔５４を成している２つの筒状部５１のピッチ間隔は突起部３１と略同じ寸法に設定されているので、この２つの保持孔５４にサムターン２０の２つの突起部３１を同時に挿嵌できるようにされている。
【００２２】
ケーシング１０に設けられた２つの孔部１３ａは、図２のようにケーシング１０の正面部の幅方向中心付近に鉛直軸線上に設けられており、この２つの孔部１３ａのピッチ間隔は、サムターン２０の２つの突起部３１のピッチ間隔と略同じ間隔に設定されている。また、その内径は、凸部５３が挿嵌可能な径に設定されている。
【００２３】
そして、図３に示すように、保持ブッシュ５０の凸部５３は、２つの孔部１３ａに挿嵌されており、保持孔５４がケーシング１０の正面外部側に露出されている。またこのとき、凸部５３が突出している縁部５２の当接面５２ａはケーシング１０の内面と当接し、保持ブッシュ５０の端面５５は裏蓋１４と当接している。すなわち、保持ブッシュ５０はケーシング１０の内面と裏蓋１４とにより挟持され、ケーシング１０内部に確実に固定されている。
【００２４】
上記のように構成された本実施形態に係るサムターン錠１では、サムターン２０が取り付けられる座部４０の至近の位置にサムターン２０を着脱自在に保持する保持部１３が設けられており、図５のようにサムターン２０を保持部１３に取り付けることができる。よって、サムターン錠１を施錠し、防犯のためサムターン２０を取り外した時にも、取り外したサムターン２０は、他の場所に置かれることなく取り外したその手でそのまま保持部１３に取り付け、保管することができる。従って、取り外したサムターン２０の保管が確実になり、サムターン２０を紛失してしまうことを未然に防止できる。
【００２５】
また、上記のサムターン２０を保持部１３に取り付ける際には、突起部３１を弾性体からなる保持ブッシュ５０に挿嵌することで保持される。従って保持ブッシュの有する弾性によって、容易にかつ突起部３１が容易に抜き挿し可能な程度に適度な保持力をもってサムターン２０を保持することができる。また、上述したように保持ブッシュ５０は、ケーシング１０の内面と裏蓋１４とにより挟持され、ケーシング１０の内部に確実に固定されている。よって、保持部１３にサムターン２０を着脱する際に突起部３１を取付孔４２に抜き挿しすることによって保持ブッシュ５０がケーシング１０の内外方向に押されたり引張られても、保持ブッシュ５０がケーシング１０から脱落することがない。また、この保持ブッシュ５０は、ケーシング１０と裏蓋１４によってケーシング１０内部に確実に固定できるのでネジや接着剤を使用する必要がなく、容易に取り付けることができる。
【００２６】
上記に示した保持ブッシュ５０は、保持孔５４が貫通孔である場合を例示したが、例えば図６（ａ）に示すように、有底孔とした保持孔５４としても良い。この場合、保持孔５４はケーシング１０の内外を遮断することができる。よって、保持孔５４からケーシング１０内部に水分が侵入することを防ぎ、ケーシング１０内部の発錆を防止できる。また、図６（ｂ）に示すように保持ブッシュ５０を突起部３１を保持するために必要な部分のみを有底筒状に形成し、保持ブッシュ５０の外周面に設けられた周溝５６に孔部１３ａの端面を係合させて取り付けるような構成としても良い。
【００２７】
尚、本発明のサムターン錠は、上記実施形態に限定されるものではなく、施錠部２および外部操作部３の構成、形状、材質、保持ブッシュ５０の材質、形状等は、本発明の趣旨に基づいて適宜変更することができる。
【図面の簡単な説明】
【００２８】
【図１】本発明の実施形態に係るサムターン錠の取付状態を示す側面図である。
【図２】本発明の実施形態に係るサムターン錠の取付状態を示す屋内側の正面図である。
【図３】本発明の実施形態に係るサムターン錠の施錠部の内部構造を示す縦断面図である。
【図４】保持ブッシュの外観を示す斜視図である。
【図５】本発明の実施形態に係るサムターン錠のサムターンを保持部に取り付けた状態を示す正面図である。
【図６】保持ブッシュの内部構造を例示するための要部縦断面図である。
【符号の説明】
【００２９】
１      サムターン錠
１０    ケーシング
１３    保持部
１４    裏蓋（蓋体）
２０    サムターン
３１    突起部
４０    座部（回動ボス部）
５０    保持ブッシュ（保持部材）
５２ａ  当接面
５４    保持孔
５５    端面
【図１】
2005282036.tif 000003
【図２】
2005282036.tif 000004
【図３】
2005282036.tif 000005
【図４】
2005282036.tif 000006
【図５】
2005282036.tif 000007
【図６】
2005282036.tif 000008